(57)【要約】【課題】本発明は、デザインに優れ、洗濯及び乾燥性能を向上させた衣類乾燥機及びドラム洗濯機のドアに関するもので、衣類の投入及び取り出しのためにキャビネットの前方に形成された投入口を開閉し、中央に開口部が形成されているドアフレームと、前記ドアフレームの前面に結合されるアウターウィンドウと、また、前記ドアフレームの後面に結合されるインナーウィンドウを含めてなる衣類乾燥機及びドラム洗濯機のドアを提供する。【解決手段】ここで、前記ドアフレームは前面が左右方向に沿って所定の曲率を有するように形成し、前記アウターウィンドウは前記ドアフレームの前面と同一の曲率をなすように形成する。【選択図】　図２
2004065957.tif 000002
【特許請求の範囲】
【請求項１】
衣類の投入及び引き出しのためにキャビネットの前方に形成された投入口を開閉し、中央に開口部が形成されているドアフレームと、
前記ドアフレームの前面に結合されるアウターウィンドウと、また、
前記ドアフレームの後面に結合されるインナーウィンドウと
を含めてなることを特徴とする衣類乾燥機及びドラム洗濯機のドア。
【請求項２】
前記ドアフレームは前面が左右方向に沿って所定の曲率を有するように形成され、前記アウターウィンドウは前記ドアフレームの前面と同一の曲率を成すように形成されることを特徴とする請求項１に記載の衣類乾燥機及びドラム洗濯機のドア。
【請求項３】
前記ドアフレームの前面周縁には前方に突出して形成されて前記アウターウィンドウの外周面を包んで周縁部分を保護するリムが形成される請求項１に記載の衣類乾燥機及びドラム洗濯機のドア。
【請求項４】
前記アウターウィンドウは定着剤によりドアフレームの前面に付着され、前記インナーウィンドウは定着剤によりドアフレームの後面に付着する請求項１に記載の衣類乾燥機及びドラム洗濯機のドア。
【請求項５】
前記定着剤は液相のシーラントである請求項４に記載の衣類乾燥機及びドラム洗濯機のドア。
【請求項６】
前記アウターウィンドウを付着させる定着剤は前記ドアフレームに塗装される塗料と同一色からなる請求項４に記載の衣類乾燥機及びドラム洗濯機のドア。
【請求項７】
前記アウターウィンドウとインナーウィンドウはガラス材質からなる請求項１に記載の衣類乾燥機及びドラム洗濯機のドア。
【請求項８】
前記ドアフレームの後面には、前記キャビネットの投入口とドアフレームとの間の隙間から内部の加熱空気が外部に漏洩することを防止できるガスケットが設けられる請求項１に記載の衣類乾燥機及びドラム洗濯機のドア。
【請求項９】
前記ガスケットにはドアフレームとの結合のためにフック部が形成され、
前記ドアフレームの後面には前記フック部が挿入されて固定されるガスケットホールが形成される請求項８に記載の衣類乾燥機及びドラム洗濯機のドア。
【請求項１０】
前記ドアフレームの後面には前記ガスケットの形状に対応して一定幅を隔てて凹んで形成される安着溝が形成され、
前記ガスケットホールは安着溝内に形成される請求項９に記載の衣類乾燥機及びドラム洗濯機のドア。
【請求項１１】
前記ドアフレームの後面には開口部の周りに一定幅を隔てて前記インナーウィンドウの縁面が置かれる安着面が形成される請求項１に記載の衣類乾燥機及びドラム洗濯機のドア。
【請求項１２】
前記安着面の外郭の周りにはインナーウィンドウ付着領域の剛性を増加させるためのベンディング（６２Ｏｉ）が後方に突出して形成される請求項１１に記載の衣類乾燥機及びドラム洗濯機のドア。
【請求項１３】
前記アウターウィンドウの内側面には前記ドアフレームの開口部に対応する部分を除いた全部分にセラミックペイントが塗布される請求項１に記載の衣類乾燥機及びドラム洗濯機のドア。
【請求項１４】
前記ドアフレームは、
中央に形成された第１開口部を含めてなるアウタードアフレームと、
前記第１開口部と連通する第２開口部とを含めてなり、前記アウタードアフレームの後方に結合されるインナードアフレームと
からなる請求項１に記載の衣類乾燥機及びドラム洗濯機のドア。
【請求項１５】
前記アウタードアフレームは、
前記第１開口部の周り面から後方に突出して形成される第１フランジを更に含めてなる請求項１４に記載の衣類乾燥機及びドラム洗濯機のドア。
【請求項１６】
前記インナードアフレームは、
前記第２開口部の周り面から前方に突出して形成される第２フランジを更に含めてなる請求項１４に記載の衣類乾燥機及びドラム洗濯機のドア。
【請求項１７】
前記第１フランジは、アウタードアフレームの上端から下端に行けばいくほど突出高さが大きくなり側面から見て傾斜角を形成する請求項１５に記載の衣類乾燥機及びドラム洗濯機のドア。
【請求項１８】
前記傾斜角は、１°〜２０°の角度をなす請求項１７に記載の衣類乾燥機及びドラム洗濯機のドア。
【請求項１９】
前記傾斜角は、８°〜１０°の角度をなす請求項１８に記載の衣類乾燥機及びドラム洗濯機のドア。
【請求項２０】
前記第２フランジは、インナードアフレームの上端から下端に行けばいくほど突出する高さが大きくなり側面から見て傾斜角を形成する請求項１６に記載の衣類乾燥機及びドラム洗濯機のドア。
【請求項２１】
前記傾斜角は、１°〜２０°以内の角度をなす請求項２０に記載の衣類乾燥機及びドラム洗濯機のドア。
【請求項２２】
前記傾斜角は、８°〜１０°の角度をなす請求項２１に記載の衣類乾燥機及びドラム洗濯機のドア。
【請求項２３】
前記アウタードアフレームは、前記第１開口部の周りから後方に突出して形成される第１フランジを更に含めてなり、
前記インナードアフレームは第２開口部の周りから前方に突出して形成されて前記第１フランジと結合される第２フランジを更に含めてなる請求項１４に記載の衣類乾燥機及びドラム洗濯機のドア。
【請求項２４】
前記第１フランジの外周面には複数のフックが形成され、前記第２フランジには前記フックと結合するフック結合孔が形成される請求項２３に記載の衣類乾燥機及びドラム洗濯機のドア。
【請求項２５】
前記アウタードアフレームは前面が左右方向に沿って所定の曲率を有するように形成され、
前記アウターウィンドウは前記アウタードアフレームの前面と同一の曲率を成すように形成される請求項１４に記載の衣類乾燥機及びドラム洗濯機のドア。
【請求項２６】
前記アウタードアフレームの前面の周縁には前方に突出して形成され、前記アウターウィンドウの外周面を包んで周縁部を保護するリムが形成される請求項１４に記載の衣類乾燥機及びドラム洗濯機のドア。
【請求項２７】
前記アウタードアフレームの前面にはアウターウィンドウが定着剤により付着され、
前記インナードアフレームの後面にはインナーウィンドウが定着剤により付着される請求項１４に記載の衣類乾燥機及びドラム洗濯機のドア。
【請求項２８】
前記アウターウィンドウを付着する定着剤は前記アウタードアフレームに塗装される塗料と同一色からなる請求項２７に記載の衣類乾燥機及びドラム洗濯機のドア。
【請求項２９】
前記インナードアフレームの後面には前記キャビネットの投入口とドアフレームとの間の隙間を介して内部の加熱空気が外部に漏れることを防止するガスケットが設けられる請求項１４に記載の衣類乾燥機及びドラム洗濯機のドア。
【請求項３０】
前記ガスケットにはインナードアフレームとの結合のためのフック部が形成され、前記インナードアフレームの後面には前記フック部が挿入固定されるガスケットホールが形成される請求項２９に記載の衣類乾燥機及びドラム洗濯機のドア。
【請求項３１】
前記インナードアフレームの後面にはガスケットの形状に対応して一定幅を隔てて凹んで形成される安着溝が形成され、
前記ガスケットホールは安着溝内に形成される請求項３０に記載の衣類乾燥機及びドラム洗濯機のドア。
【請求項３２】
前記インナードアフレームの後面には第２開口部の回りに一定幅を隔てて形成され、前記インナーウィンドウの縁面が置かれる安着面が形成される請求項１４に記載の衣類乾燥機及びドラム洗濯機のドア。
【請求項３３】
前記安着面の外郭の周りにはインナーウィンドウ付着領域の剛性を増加させるためのベンディング部（６２Ｏｉ）が後方に突出して形成される請求項３２に記載の衣類乾燥機及びドラム洗濯機のドア。
【請求項３４】
前記アウターウィンドウの内側面には前記アウタードアフレームの第１開口部に対応する部分を除いた全部分にセラミックスペイントが塗布される請求項１４に記載の衣類乾燥機及びドラム洗濯機のドア。
【請求項３５】
前記アウタードアフレームの外郭フレームの内側には複数のフックが形成され、
前記インナードアフレームの外郭縁面には前記フックが結合されるフック溝が形成される請求項１４に記載の衣類乾燥機及びドラム洗濯機のドア。
【請求項３６】
衣類の投入及び引き出しのための投入口が前方に形成されるキャビネットと、
前記キャビネット内に回転自在に設けられ、内周面上に複数のリフトが提供されるドラムと、
前記ドラムに駆動力を伝えるモーターと、
前記ドラムの内部が見えるように中央に開口部が形成され、前記キャビネットの投入口を開閉するドアフレームと、
前記ドアフレームの前面に結合されるアウターウィンドウと、
前記ドアフレームの後面に結合されるインナーウィンドウを含めてなる衣類乾燥機及びドラム洗濯機のドア。
【請求項３７】
前記ドアフレームは、
中央に形成された第１開口部を含めてなるアウタードアフレームと、
前記第１開口部と連通する第２開口部とを含めてなり、前記アウタードアフレームの後方に結合されるインナードアフレームからなる請求項３６に記載の衣類乾燥機及びドラム洗濯機のドア。
【発明の詳細な説明】
【０００１】
【発明の属する技術分野】
本発明は、ドラム洗濯機及び衣類乾燥機に関するもので、特に、詳しくはドラム洗濯機及び衣類乾燥機のドアに関するものである。
【０００２】
【従来の技術】
一般に、ドラム洗濯機はドラムの内側に洗剤と洗濯水及び洗濯物を投入し、前記ドラムを回転させて洗濯物が突出部により上下する衝撃及び摩擦力を用いて洗濯を行う。
【０００３】
このようなドラム洗濯機は洗濯物の損傷が殆どなく、洗濯物が互いに絡むことがない。また、水の使用が少量であるという長所からその使用が増加しつつある。
【０００４】
また、衣類乾燥機は洗濯済みの濡れている乾燥対象物を自動的に乾燥する機器である。かかるドラム洗濯機と衣類乾燥機には衣服などの洗濯物及び乾燥物の離脱を防止するためのドアが設けられる。
【０００５】
以下、衣類乾燥機で設けられる関連技術によるドアの構成を添付の図面を参照して説明する。
【０００６】
図１に示すように、従来の衣類乾燥機はキャビネット１００、ドラム３０、熱風供給流路１０、熱風排出流路９０などを含めてなる。
【０００７】
前記キャビネット１００は前面に衣類の投入及び引き出しのための投入口４０ａを有する。前記ドラム３０は内周面上に提供される複数のリフト３０ａを有して前記キャビネット１００内に回転自在に設けられる。
【０００８】
また、キャビネット１００の下部にはドラム３０に回転力を伝える駆動部が設けられる。前記駆動部はモーター８０と、モーター８０の駆動軸に連結された駆動プーリー８１と、前記駆動プーリー８１とドラム３０とを連結するドラム回転用ベルト８５からなる。
【０００９】
前記キャビネット１００の後方には熱風供給流路１０及び熱風排出流路９０が設けられ、前記熱風供給流路１０及び熱風排出流路９０は外部空気をドラム３０の内側に流し込みキャビネット１００の外側に排出するように空気流動を案内する。
【００１０】
また、前記熱風供給流路１０の内側には空気を高温状態で加熱するヒーター２０が設けられる。前記熱風排出流路９０の前方にはモーター８０と連結されて前記加熱された外部空気を排出するための強制送風力を発生する排気ファン７０が設けられる。
【００１１】
尚、前記キャビネット１００の片側には前面に形成された投入口４０ａを開閉するドア６０が設けられる。前記ドア６０は普通厚い鉄板材質からなり、内部が透視できず平面構造である。
【００１２】
今まで衣類乾燥機の構造について詳しくみたが、現在使われているドラム洗濯機は一般に乾燥機の役割も同時にできるように構成する。従って、前記ドア６０はドラム洗濯機にも同一に適用される。かかる従来衣類乾燥機及びドラム洗濯機のドア６０の構造によると次のような問題があった。
【００１３】
第一、最近は、商品の市場性において製品にデザインが最も重要な要因として指摘されている。しかしながら、従来技術によるドア６０は平面構造であってデザインの面では、美感を高めるには限界があった。
【００１４】
第二、従来の衣類乾燥機及びドラム洗濯機のドア６０は内部を透視できる窓がなくてドラム内部の洗濯物の状態を確認することができなかった。
【００１５】
第三、従来の衣類乾燥機及びドラム洗濯機のドア６０は構造的に衣類をドラム３０の内側に移送できず、洗濯物の絡みが発生することで乾燥及び洗濯性能が劣るという問題があった。
【００１６】
【発明が解決しようとする課題】
本発明は、上記関連技術の問題点を解決するためのもので、デザインが優秀であり、洗濯及び乾燥性能が向上された衣類乾燥機及びドラム洗濯機のドアを提供することが目的である。
【００１７】
【課題を解決するための手段】
上記目的を達成するための本発明による一実施形態は、衣類の投入及び引き出しのためにキャビネットの前方に形成された投入口を開閉し、中央に開口部が形成されているドアフレームと、前記ドアフレームの前面に結合されるアウターウィンドウと、また、前記ドアフレームの後面に結合されるインナーウィンドウとを含めてなることを特徴とする。
【００１８】
前記ドアフレームは前面が左右方向に沿って所定の曲率を有するように形成され、前記アウターウィンドウは前記ドアフレームの前面と同一の曲率を成すように形成する。また、前記ドアフレームの前面周縁には前方に突出して形成されて前記アウターウィンドウの外周面を包んで周縁部分を保護するリムが形成され、前記アウターウィンドウは液相のシーラントである定着剤によりドアフレームの前面に付着され、前記インナーウィンドウは定着剤によりドアフレームの後面に付着され、前記アウターウィンドウを付着する定着剤は前記ドアフレームに塗装される塗料と同一の色からなる。
【００１９】
また、前記アウターウィンドウとインナーウィンドウはガラス材質からなることが望ましい。
【００２０】
また、前記ドアフレームの後面には、前記キャビネットの投入口とドアフレームとの間の隙間から内部の加熱空気が外部に漏洩することを防止できるガスケットが設けられる。
【００２１】
この時、前記ガスケットにはドアフレームとの結合のためにフック部が形成され、前記ドアフレームの後面には前記フック部が挿入されて固定されるガスケットホールが形成され、前記ドアフレームの後面には前記ガスケットの形状に対応して一定幅を隔てて凹んで形成される安着溝が形成され、前記ガスケットホールは安着溝内に形成される。また、前記ドアフレームの後面には開口部の周りに一定幅を隔てて前記インナーウィンドウの縁面が置かれる安着面が形成される。
【００２２】
前記安着面の外郭の周りにはインナーウィンドウ付着領域の剛性を増加させるためのベンディング（６２０ｉ）が後方に突出して形成され、前記アウターウィンドウの内側面には前記ドアフレームの開口部に対応する部分を除いた全部分にセラミックペイントが塗布され、前記ドアフレームは、中央に形成された第１開口部を含めてなるアウタードアフレームと、前記第１開口部と連通する第２開口部とを含めてなり、前記アウタードアフレームの後方に結合されるインナードアフレームとからなり、前記アウタードアフレームは、前記第１開口部の周り面から後方に突出して形成される第１フランジを更に含めてなり、前記インナードアフレームは、前記第２開口部の周り面から前方に突出して形成される第２フランジを更に含めてなる。
【００２３】
前記第１フランジは、アウタードアフレームの上端から下端に行けばいくほど突出高さが大きくなり側面から見て傾斜角を形成し、前記傾斜角は、１°〜２０°の角度をなすことが望ましく、前記傾斜角は、８°〜１０°の角度をなす。また、前記第２フランジは、インナードアフレームの上端から下端に行けばいくほど突出される高さが大きくなって側面から見て傾斜角を形成する。
【００２４】
前記傾斜角は、１°〜２０°以内の角度をなし、前記傾斜角は、８°〜１０°の角度をなす。
【００２５】
前記第１フランジの外周面には複数のフックが形成され、前記第２フランジには前記フックと結合するフック結合孔が形成され、前記アウタードアフレームは前面が左右方向に沿って所定の曲率を有するように形成され、前記アウターウィンドウは前記アウタードアフレームの前面と同一の曲率を成すように形成される。
【００２６】
前記アウタードアフレームの前面の周縁には前方に突出して形成されて前記アウターウィンドウの外周面を包んで周縁部を保護するリムが形成される。
【００２７】
前記アウタードアフレームの前面にはアウターウィンドウが定着剤により付着され、前記インナードアフレームの後面にはインナーウィンドウが定着剤により付着される。
【００２８】
前記アウターウィンドウを付着する定着剤は前記アウタードアフレームに塗装される塗料と同一色からなる。
【００２９】
前記インナードアフレームの後面には前記キャビネットの投入口とドアフレームとの間の隙間を介して内部の加熱空気が外部に漏れることを防止するガスケットが設けられる。
【００３０】
前記ガスケットにはインナードアフレームとの結合のためのフック部が形成され、前記インナードアフレームの後面には前記フック部が挿入固定されるガスケットホールが形成される。
【００３１】
前記インナードアフレームの後面にはガスケットの形状に対応して一定幅を隔てて凹んで形成される安着溝が形成され、前記ガスケットホールは安着溝内に形成される。
【００３２】
前記インナードアフレームの後面には第２開口部の回りに一定幅を隔てて形成され、前記インナーウィンドウの縁面が置かれる安着面が形成され、前記安着面の外郭の周りにはインナーウィンドウ付着領域の剛性を増加させるためのベンディング部（６２Ｏｉ）が後方に突出して形成される。
【００３３】
前記アウターウィンドウの内側面には前記アウタードアフレームの第１開口部に対応する部分を除いた全部分にセラミックスペイントが塗布される。
【００３４】
前記アウタードアフレームの外郭フレームの内側には複数のフックが形成され、前記インナードアフレームの外郭縁面には前記フックが結合されるフック溝が形成される。
【００３５】
衣類の投入及び引き出しのための投入口が前方に形成されるキャビネットと、前記キャビネット内に回転自在に設けられ、内周面上に複数のリフトが提供されるドラムと、前記ドラムに駆動力を伝えるモーターと、前記ドラムの内部が見えるように中央に開口部が形成され、前記キャビネットの投入口を開閉するドアフレームと、前記ドアフレームの前面に結合されるアウターウィンドウと、前記ドアフレームの後面に結合されるインナーウィンドウを含めてなる。
【００３６】
前記ドアフレームは、中央に形成された第１開口部を含めてなるアウタードアフレームと、前記第１開口部と連通する第２開口部とを含めてなり、前記アウタードアフレームの後方に結合されるインナードアフレームからなる。
【００３７】
【発明の実施の形態】
以下、添付の図面を参照して本発明を更に詳細に説明する。
【００３８】
本発明によるドアは図２に示すように、アウタードアフレーム６００、インナードアフレーム６２０、アウターウィンドウ６１０、インナーウィンドウ６３０、ドアハンドル６４０を含めてなる。
【００３９】
前記アウタードアフレーム６００の前面は左右方向に沿って所定の曲率を有して中央には内部が見える第１開口部６００ａが形成される。前記インナードアフレーム６２０はアウタードアフレーム６００の後方に位置し、中央には第１開口部６００ａと連通する第２開口部６２０ａが形成される。
【００４０】
前記アウターウィンドウ６１０は前記アウタードアフレーム６００の前面と同一の曲率をなすように形成され、アウタードアフレーム６００の前面に結合され、インナーウィンドウ６３０はインナードアフレーム６２０の後面に結合される。また、前記ドアハンドル６４０はアウタードアフレーム６００の片側に結合される。
【００４１】
このような衣類乾燥機／ドラム洗濯機のドアを構成する要素に対して更に詳しく察してみる。
【００４２】
前記アウタードアフレーム６００の前面の周縁には前方に突出したリム６００ｂが形成される。前記リム６００ｂはアウタードアフレーム６００の前面に結合されるアウターウィンドウ６１０の外周面を包んでアウターウィンドウ６１０の縁部を保護すると共に異物が流れ込むことを防止する。
【００４３】
また、前記アウタードアフレーム６００は図３に示すように、第１フランジ６００ｃを有する。前記第１フランジ６００ｃは第１開口部６００ａの周り面から後方に突出するように形成されて第１開口部６００ａの内側面を形成する。
【００４４】
また、前記第１フランジ６００ｃは上端部に突出した高さ（Ｗ１）に比べて下端部に突出した高さ（Ｗ２）を更に大きく形成する。即ち、第１フランジ６００ｃはアウタードアフレーム６００の上端から下端に行くほど突出する高さが高く形成されている。従って、前記第１フランジ６００ｃは側面から見ると、一定した傾斜角（α）を成している。
【００４５】
更に詳しくは、前記傾斜角（α）は前記第１フランジ６００ｃの上端部の先端と下端部の先端を連結した線Ｌ１と任意の垂直線Ｌ２が成す角である。前記傾斜角は、１°〜２０°以内の角度をなすように設定することが望ましい。特に傾斜角は、８°〜１０°の角度をなすように設定することが最も望ましい。
【００４６】
前記第１フランジ６００ｃはアウタードアフレーム６００の強度を補強し、アウタードアフレーム６００の内側が見えないように隠す役割を果たす。
【００４７】
尚、インナードアフレーム６２０は第２開口部６２０ａの周り面から前方に突出して前記第１フランジ６００ｃと結合する第２フランジ６２０ｃを有する。前記第２フランジ６２０ｃやはり第１フランジ６００ｃのように上端部の突出高さに比べて下端部の突出高さが更に大きく形成される。即ち、第２フランジ６２０ｃはインナードアフレーム６２０の上端から下端に行くほど突出高さが大きくなるように形成されている。従って、前記第２フランジ６２０Ｃも側面から見ると、一定の角度傾斜角（図示せず）を成している。
【００４８】
前記第２フランジ６２０Ｃの傾斜角やはり１°〜２０°以内の角度をなすように設定することが望まく、特に傾斜角は、８°〜１０°の角度をなすように設定することが最も望ましい。
【００４９】
尚、前記フランジ６００Ｃ、６２０Ｃの結合のために第１フランジ６００Ｃの外側面には円周方向に沿って複数のフック６００ｄが所定間隔を隔てて形成され、前記第２フランジ６２０Ｃには前記フック６００ｄが結合されるフック結合孔６２０ｄが形成される。
【００５０】
前記フック６００ｄとフック結合孔６２０ｄにより第１、２フランジ６００ｃ、６２０ｃが結合されると、図５ｂに示すように、インナードアフレーム６２０の後面は前記フランジ６００ｃ、６２０ｃにより形成された角と同一の傾斜角をなす。
【００５１】
また、アウタードアフレーム６００とインナードアフレーム６２０との結合のために前記アウタードアフレーム６００の後面の外郭縁の内側には複数のフック６００ｅが形成され、前記インナードアフレーム６２０の外郭縁面には前記フック６００ｅが結合されるフック溝６２０ｅが形成される。
【００５２】
尚、前記インナーウィンドウ６３０は図４に示すように、インナードアフレーム６２０の後面に定着剤の液相のシーラント６５０により付着する。詳しくは次の通りである。
【００５３】
前記インナードアフレーム６２０の後面には第２開口部６２０ａの周りに一定の幅隔てて凹んで形成される安着面６２０ｆが形成される。前記安着面６２０ｆにはインナーウィンドウ６３０の縁面が形成され、前記安着面６２０ｆにシーラント６５０が塗布されて前記インナーウィンドウ６３０はインナードアフレーム６２０に付着される。
【００５４】
また、前記安着面６２０ｆの外郭にはインナーウィンドウ６３０の付着領域の剛性を増加させるためのベンディング部６２０ｉを形成することもできる。前記ベンディング部６２０ｉはインナーウィンドウ６３０の厚さより更に厚く後方に突出してインナーウィンドウ６３０を保護する役割も果たす。
【００５５】
また、前記アウターウィンドウ６１０もアウタードアフレーム６００のシーラント塗布領域６００ｆに定着剤のシーラント６５０により付着される。
【００５６】
前記シーラント６５０はアウターウィンドウ６１０をアウタードアフレーム６００に固定すると共に、アウターウィンドウ６１０とアウタードアフレーム６００との間の水分及び異物の浸透を更に確かに防止する。
【００５７】
前記シーラント６５０は液相であって、美観を考慮してドア６０に塗られた塗料と同一の色を取るようにすることが望ましい。例えば、家電製品の外観は主に白色で処理する場合が多いのでドア６０を白色にする場合には白色のシーラント６５０が用いられる。
【００５８】
尚、前記アウターウィンドウ６１０及びインナーウィンドウ６３０は表面が掻かれ易くならないようにガラス材質で製作することが望ましい。この時前記アウターウィンドウ６１０の内側面にはセラミックペイントが塗布される。前記セラミックペイントは第１開口部６００ａを除いた部分にのみ塗布して外観を向上させる。
【００５９】
尚、本発明によるドアはインナードアフレーム６２０の後面にガスケット６６０が結合されるように構成することも可能である。前記ガスケット６６０はドラム３０の内部の加熱空気の漏洩を防止する役割を果たす。前記ガスケット６６０は図４に示すように、インナードアフレーム６２０との結合のために多数のフック部６６０ａを有する。また、インナードアフレーム６２０にはフック部６６０ａとの結合のための多数のガスケットホール６２０ｈが形成される。
【００６０】
また、前記インナードアフレーム６２０の後面にはガスケット６６０の形状に対応する一定幅を隔ててガスケット安着溝６２０ｂが凹んで形成され得る。この場合、前記多数個のガスケットホール６２０ｈはガスケット安着溝６２０ｂ内に形成される。
【００６１】
従って、前記フック部６６０ａがインナードアフレーム６２０のガスケットホール６２０ｈに結合されるとガスケット６６０はインナードアフレーム６２０のガスケット溝６２０ｂに安着してインナードアフレームと更に密着結合する。
【００６２】
今まで上述した本発明によるドアはドアフレームがアウタードアフレーム６００とインナードアフレーム６２０とからなる構造である。
【００６３】
しかしながら、前記アウタードアフレーム６００とインナードアフレーム６２０とが一体形成することも可能である。該場合、第１、２フランジ６００ｃ、６２０ｃは一つで形成され、前記各フランジ６００ｃ、６２０ｃの結合により形成されるインナードアフレーム６２０の後面傾斜角αはドアフレームの後面を直接傾斜して製作することで形成される。
【００６４】
また、ドアフレームが一体に形成される場合には各開口部６００ａ、６２０ａやはり一つで形成され、前記各フック６００ｄ、６００ｅ、フック結合孔６２０ｄ、フック溝６２０ｅは不要である。
【００６５】
以下、前述した構成からなる本発明の実施例による衣類乾燥機／ドラム洗濯機のドア組み立て過程及び作用を説明する。
【００６６】
先ず、シーラント６５０がアウタードアフレーム６００の周縁に形成されたリム６００ｂの内側に塗布される。前記シーラント６５０はアウタードアフレーム６００に塗られた塗料と同一の色を有する。また、アウターウィンドウ６１０が前記アウタードアフレーム６００のリム６００ｂの内側の前面に付着固定される。
【００６７】
更に詳しく説明すると、液相のシーラント６５０がアウタードアフレーム６００前面のリム６００ｂの内側領域に一定幅で塗布されると、アウターウィンドウ６１０がアウタードアフレーム６００前面のリム６００ｂの内側に付着する。以降前記シーラント６５０が硬化しながらアウターウィンドウ６１０をアウタードアフレーム６００上に堅固に付着させる。
【００６８】
前記リム６００ｂはアウターウィンドウ６１０の縁を包んで保護する機能をする。また、前記シーラント６５０はアウターウィンドウ６１０をアウタードアフレーム６００に固定する役割を果たす。また、シーラント６５０は密封作用によりアウターウィンドウ６１０とアウタードアフレーム６００の前面との間で水分及び異物の浸透を防止する。また、図５ａ及び図５ｃに示すように、ドアハンドル６４０が前記アウタードアフレーム６００の片側上に結合される。
【００６９】
次に、インナードアフレーム６２０付着過程及びドアガスケット６６０の組み立て過程について説明する。
【００７０】
前記インナーウィンドウ６３０は縁面がインナーウィンドウ安着面６２０ｆに置かれる。次に、シーラント６５０が前記インナーウィンドウ６３０の縁面に塗布される（図４参照）。前記シーラント６５０は硬化しながらインナーウィンドウ６３０をインナードアフレーム６２０の後面に堅固に付着させる。
【００７１】
次に、ガスケット６６０がインナードアフレーム６２０の後面に設けられる。
【００７２】
前記ドアガスケット６６０は安着溝６２０ｂ内に形成されたガスケットホール６２０ｈにフック部６６０ａが結合されて固定される。
【００７３】
このように組み立てられたガスケット６６０は、ドア６０を閉じた状態でドラム３０の内部の加熱空気がドアを介して外部に漏れる現象を防止する。
【００７４】
前記のような個別的な組み立て過程が終わると前記アウタードアフレーム６００とインナードアフレーム６２０とが互いに結合する。これについて更に詳しく説明する。
【００７５】
先ず、第１フランジ６００ｃの外側に形成された複数のフック６００ｄが前記第２フランジ６２０ｃに形成されたフック結合孔６２０ｄと一致するように整列される。これと共に、前記アウタードアフレーム６００の外郭縁面の内側に形成された複数のフック６００ｅがインナードアフレーム６２０の外郭縁面に形成された各フック溝６２０ｅと一致するように整列される。
【００７６】
以降、前記アウタードアフレーム６００がインナードアフレーム６２０側に加圧されると、第１フランジ６００ｃに形成されたフック６００ｄが前記第２フランジ６２０ｃに形成されたフック結合孔６２０ｄに挿入されて結合する。これと共に、前記アウタードアフレーム６００に形成された複数のフック６００ｅが前記各フック溝６２０ｅに挿入されて結合する。このように、ドアの組み立てはアウタードアフレーム６００とインナードアフレーム６２０との相互結合により完了される。
【００７７】
このように結合が完了された本発明によるドアは図５ａないし図５ｃに示されている。前記図５ｂを参照すると、インナーウィンドウ６２０が付着されるインナードアフレーム６２０の後面は前記フランジなど６００ｃ、６２０ｃにより形成された所定の傾斜角αを有していることが分かる。従って、前記傾斜したインナードアフレーム６２０の後面に付着されるインナーウィンドウ６２０やはり傾斜角αを有することになる。
【００７８】
また、アウタードアフレーム６００は前面が左右方向に沿って所定の曲率を有しているのでドアは図５ｃに示すように、前面が突出した様相を有する。
【００７９】
【発明の効果】
以上説明したように、本発明の衣類乾燥機／ドラム洗濯機に適用されるドアによると、次のような効果がある。
【００８０】
第一、本発明によるドアは第１フランジ６００ｃが後方に突出して第１開口部６００ａの内側面を形成することでアウタードアフレーム６００の強度を補強する。また、本発明によるドアは前記第１フランジ６００ｃがインナードアフレーム６２０を遮蔽して見えないようにすることで外観が向上する。
【００８１】
第二、本発明によるドアはインナーウィンドウ６３０が所定の傾斜角度αを有してインナードアフレーム６２０の後面に付着される。従って、ドラム３０の内側に設けられたリフト３０ａにより持ち上げられた後、落下する洗濯物のうちドラム３０の前方に落下する洗濯物は前記インナーウィンドウ６３０の傾斜面に沿ってドラム３０の中心部側に移動する。かかるインナーウィンドウ６３０の傾斜角は洗濯物の絡みを防止し、洗濯物を熱風に近づけて露出し乾燥性能及び効率を高める。
【００８２】
第三、本発明によるドアは、アウタードアフレーム６００とインナードアフレーム６２０との間の組み立てがフック結合によりなされることで組み立て時の作業性が向上する。
【００８３】
第四、本発明によるドアは、アウターウィンドウ６１０及びアウタードアフレーム６００が曲率を有するように構成され、ガラス材質のアウターウィンドウ６１０が設けられることによってデザイン側面で一層更に高い美感を消費者に提供する。
【００８４】
第五、本発明による衣類乾燥機のドアには透視窓があってドラム内部の洗濯物の乾燥状態を確認できる。
【００８５】
以上本発明の好適な一実施態様について説明したが、前記実施態様に限定されず、本発明の技術思想に基づいて種々の変形が可能である。
【００８６】
これと共に、本発明のドア６０は衣類乾燥機／ドラム洗濯機のみならず、内部透視を必要とする他の家電製品にも適用されることはもちろんである。
【図面の簡単な説明】
【図１】関連技術による衣類乾燥機を概略的に示す縦断面である。
【図２】本発明のドア構造を示す分解斜視図である。
【図３】図２のアウタードアフレームの背面斜視図である。
【図４】図２のＩ−Ｉ線による縦断面図である。
【図５ａ】図２の結合後の状態を示した正面図である。
【図５ｂ】図２の結合後の状態を示した右側面図である。
【図５ｃ】図２の結合後の状態を示した平面図である。
【符号の説明】
６００　アウタードアフレーム
６００ａ　第１開口部
６００ｂ　リム
６００ｃ　第１フランジ
６００ｄ　フック
６００ｆ　シーラント塗布領域
６１０　アウターウィンドウ
６２０　インナードアフレーム
６２０ａ　第２開口部
６２０ｂ　ガスケット安着溝
６２０ｃ　第２フランジ
６２０ｄ　フック結合孔
６２０ｅ　フック溝
６２０ｆ　安着面
６２０ｈ　ガスケットホール
６２０ｉ　ベンディング部
６３０　インナーウィンドウ
６４０　ドアハンドル
６５０　シーラント
６６０　ガスケット
６６０ａ　フック部
【図１】
2004065957.tif 000003
【図２】
2004065957.tif 000004
【図３】
2004065957.tif 000005
【図４】
2004065957.tif 000006
【図５ａ】
2004065957.tif 000007
【図５ｂ】
2004065957.tif 000008
【図５ｃ】
2004065957.tif 000009